(57)【特許請求の範囲】
【請求項１】
カッタ本体と、前記カッタ本体にスライド可能に取り付けられ、光ファイバに傷を付ける刃部が装着されたスライダとを有する光ファイバカッタを収納するための光ファイバカッタ収納ケースであって、
前記カッタ本体を位置決めするカッタ位置決め部を有するケース基体を備え、
前記カッタ位置決め部の一部を形成する位置決め壁部には、前記ケース基体の内側に突出し、前記スライダをスライド方向に対して拘束するスライダ押さえ突起が設けられていることを特徴とする光ファイバカッタ収納ケース。
【請求項２】
前記位置決め壁部は、前記ケース基体の同じ側に複数存在し、
前記複数の位置決め壁部には、前記ケース基体の内側に突出し、前記カッタ本体を前記ケース基体の高さ方向に対して拘束するカッタ本体押さえ突起がそれぞれ設けられており、
複数の前記カッタ本体押さえ突起の少なくとも１つは、前記スライダ押さえ突起を兼ねていることを特徴とする請求項１記載の光ファイバカッタ収納ケース。
【請求項３】
前記カッタ本体押さえ突起の上部には、前記ケース基体の内側に向かって下がるように傾斜した傾斜部が設けられていることを特徴とする請求項２記載の光ファイバカッタ収納ケース。
【請求項４】
前記光ファイバカッタは、前記カッタ本体に対して開閉可能な蓋部を有し、
前記ケース基体には、ケース蓋体が開閉可能に連結されており、
前記ケース蓋体には、前記蓋部を押さえる蓋押さえ部が設けられていることを特徴とする請求項１〜３のいずれか一項記載の光ファイバカッタ収納ケース。
【請求項５】
前記ケース基体及び前記ケース蓋体の先端部には、凹部がそれぞれ形成されており、
前記ケース蓋体の前記凹部には、前記ケース基体と前記ケース蓋体とを閉じた状態で係止するためのフック部が設けられており、
前記ケース基体の前記凹部には、前記フック部と係合するフック受け部が設けられていることを特徴とする請求項４記載の光ファイバカッタ収納ケース。
【請求項６】
前記ケース蓋体は、透明性を有する材質で形成されていることを特徴とする請求項４または５記載の光ファイバカッタ収納ケース。
【請求項７】
前記ケース基体は、帯電防止材を含んでいることを特徴とする請求項１〜６のいずれか一項記載の光ファイバカッタ収納ケース。
【発明の詳細な説明】
【技術分野】
【０００１】
本発明は、光ファイバカッタを収納するための光ファイバカッタ収納ケースに関するものである。
【背景技術】
【０００２】
光ファイバを切断する光ファイバカッタとしては、本体及び蓋に設けられ、光ファイバを長手方向に沿った２点で把持する複数のクランプと、光ファイバに傷を付ける円板形の刃を有し、光ファイバの長手方向に対して交差する方向に移動するスライド部材と、傷が付けられた光ファイバを傷の反対側から押圧して切断する押圧部材とを備えたものがある（例えば、特許文献１参照）。
【先行技術文献】
【特許文献】
【０００３】
【特許文献１】特開２００９−２４４４０３号公報
【発明の概要】
【発明が解決しようとする課題】
【０００４】
ところで、光ファイバカッタの保護等の観点から、光ファイバカッタの未使用時には、光ファイバカッタを収納ケースに収納しておくのが望ましい。しかし、従来においては、光ファイバカッタを収納するための専用の収納ケースは殆ど無かった。また、光ファイバカッタ用ではない普通の収納ケースに光ファイバカッタを収納すると、例えば持ち運びの際に収納ケースの内部で光ファイバカッタが動いて収納ケースの内壁に当たり、光ファイバカッタの損傷等が発生することがある。
【０００５】
本発明の目的は、光ファイバカッタの損傷等を防止することができる光ファイバカッタ収納ケースを提供することである。
【課題を解決するための手段】
【０００６】
本発明は、カッタ本体と、カッタ本体にスライド可能に取り付けられ、光ファイバに傷を付ける刃部が装着されたスライダとを有する光ファイバカッタを収納するための光ファイバカッタ収納ケースであって、カッタ本体を位置決めするカッタ位置決め部を有するケース基体を備え、カッタ位置決め部の一部を形成する位置決め壁部には、ケース基体の内側に突出し、スライダをスライド方向に対して拘束するスライダ押さえ突起が設けられていることを特徴とするものである。
【０００７】
このように本発明の光ファイバカッタ収納ケースにおいては、光ファイバカッタを収納する際に、ケース基体のカッタ位置決め部にカッタ本体が位置決めされるので、カッタ本体がケース基体に対して動くことが防止される。また、カッタ位置決め部の一部を形成する位置決め壁部に、スライダをスライド方向に対して拘束するスライダ押さえ突起を設けることにより、光ファイバカッタが収納された状態において、スライダがケース基体に対して動くことも防止される。以上により、カッタ本体及びスライダの損傷等を防止することができる。
【０００８】
好ましくは、位置決め壁部は、ケース基体の同じ側に複数存在し、複数の位置決め壁部には、ケース基体の内側に突出し、カッタ本体をケース基体の高さ方向に対して拘束するカッタ本体押さえ突起がそれぞれ設けられており、複数のカッタ本体押さえ突起の少なくとも１つは、スライダ押さえ突起を兼ねている。このように複数のカッタ本体押さえ突起の少なくとも１つがスライダ押さえ突起を兼ねることにより、突起の数を必要以上に増やさなくて済み、ケース基体の構造の複雑化を避けることができる。
【０００９】
このとき、カッタ本体押さえ突起の上部には、ケース基体の内側に向かって下がるように傾斜した傾斜部が設けられていることが好ましい。この場合には、光ファイバカッタを光ファイバカッタ収納ケースに収納する際に、カッタ本体をケース基体の上側からカッタ本体押さえ突起の傾斜部に沿って降ろしてカッタ位置決め部に収容すれば良い。このため、カッタ位置決め部へのカッタ本体の収容動作を容易に行うことができる。
【００１０】
また、好ましくは、光ファイバカッタは、カッタ本体に対して開閉可能な蓋部を有し、ケース基体には、ケース蓋体が開閉可能に連結されており、ケース蓋体には、蓋部を押さえる蓋押さえ部が設けられている。この場合には、光ファイバカッタの収納時にケース蓋体をケース基体に対して閉じると、ケース蓋体に設けられた蓋押さえ部により光ファイバカッタの蓋部が押さえられるため、蓋部が開いてしまうことが防止される。
【００１１】
このとき、ケース基体及びケース蓋体の先端部には、凹部がそれぞれ形成されており、ケース蓋体の凹部には、ケース基体とケース蓋体とを閉じた状態で係止するためのフック部が設けられており、ケース基体の凹部には、フック部と係合するフック受け部が設けられていることが好ましい。この場合には、フック部がケース基体及びケース蓋体の先端面よりも内側に位置することになるため、フック部が他の物体等に当たりにくくなる。これにより、フック部の破損を防止することができる。
【００１２】
また、ケース蓋体は、透明性を有する材質で形成されていることが好ましい。この場合には、ケース蓋体がケース基体に対して閉じられたときに、光ファイバカッタ収納ケースの内部状態を確認することができる。
【００１３】
さらに、好ましくは、ケース基体は、帯電防止材を含んでいる。光ファイバカッタにより光ファイバを切断した際にはファイバ屑が出るが、ケース基体が帯電防止材を含んでいることで、静電気によるケース基体へのファイバ屑の付着が発生しにくくなる。
【発明の効果】
【００１４】
本発明によれば、光ファイバカッタの損傷等を防止することができる。これにより、光ファイバカッタ収納ケースによって光ファイバカッタを適切に保護することが可能となる。
【図面の簡単な説明】
【００１５】
【図１】本発明に係わる光ファイバカッタ収納ケースの一実施形態を示す斜視図である。
【図２】図１のII−II線断面図である。
【図３】図１に示した光ファイバカッタ収納ケースが開いた状態を示す斜視図である。
【図４】図１に示した光ファイバカッタ収納ケースが開いた状態を示す斜視図である。
【図５】図１に示した光ファイバカッタ収納ケースが開いた状態を示す平面図である。
【図６】図１〜図５に示した光ファイバカッタ収納ケースに収納される光ファイバカッタを示す斜視図である。
【図７】図１〜図５に示した光ファイバカッタ収納ケースに光ファイバカッタが収納された状態を示す斜視図である。
【図８】図１〜図５に示した光ファイバカッタ収納ケースに光ファイバカッタが収納された状態を示す平面図である。
【発明を実施するための形態】
【００１６】
以下、本発明に係わる光ファイバカッタ収納ケースの好適な実施形態について、図面を参照して詳細に説明する。
【００１７】
図１は、本発明に係わる光ファイバカッタ収納ケースの一実施形態を示す斜視図であり、図２は、図１のII−II線断面図である。図３及び図４は、図１に示した光ファイバカッタ収納ケースが開いた状態を示す斜視図であり、図５は、図１に示した光ファイバカッタ収納ケースが開いた状態を示す平面図である。各図において、本実施形態の光ファイバカッタ収納ケース１は、図６に示すような光ファイバカッタ２を収納するための専用の収納ケースである。
【００１８】
光ファイバカッタ２は、光ファイバ（図示せず）を切断するカッタユニット３と、このカッタユニット３により光ファイバを切断した時に発生する切り屑（ファイバ屑）を回収する屑回収ユニット４とから構成されている。
【００１９】
カッタユニット３は、断面略Ｉ字型のカッタ本体５と、このカッタ本体５に支軸部６を介して開閉自在に連結された蓋部７とを備えている。カッタ本体５は、基台８と、この基台８の上方に配置された載置台９と、基台８と載置台９とを繋ぐ連結部１０とを有している。屑回収ユニット４は、基台８の一側面にネジにより着脱可能に取り付けられている。
【００２０】
載置台９の上面には、切断すべき光ファイバを保持するファイバホルダ（図示せず）を位置決めする略矩形凹状のホルダガイド１１が形成されている。載置台９におけるホルダガイド１１に隣接した部位には、カッタ本体５の前後方向（載置台９上に置かれた光ファイバの軸方向に直交する方向）に延びる露出孔１２が形成されている。また、載置台９の上面には、１対のゴム付きの下クランプ１３が露出孔１２を挟むようにネジ止めされている。さらに、載置台９の上面の前端部（支軸部６とは反対側の端部）には、磁石受け１４が設けられている。
【００２１】
カッタ本体５には、スライダ１５が前後方向にスライド可能に支持されている。スライダ１５は、屑回収ユニット４側における基台８と載置台９との間の空間に配置され、連結部１０の一側面に形成された直線ガイド１６に沿って前後方向にスライドする。
【００２２】
スライダ１５には、光ファイバに傷を付ける円盤状の刃部１７が上記の露出孔１２から上方に突出するように装着されている。また、スライダ１５の上部には、突部１８が露出孔１２から上方に突出するように刃部１７に隣接して設けられている。
【００２３】
蓋部７の裏面には、上記の刃部１７により傷が付けられた光ファイバに曲げを付与して光ファイバを切断するゴム付きの枕部１９がネジ止めされている。枕部１９は、圧縮バネ（図示せず）により蓋部７の上面の反対側（カッタ本体５側）に付勢されている。枕部１９には、蓋部７がカッタ本体５に対して閉じられた時に上記の突部１８と係合する係合片２０が取り付けられている。
【００２４】
また、蓋部７の裏面には、１対のゴム付きの上クランプ２１が枕部１９を挟むようにネジ止めされている。各上クランプ２１は、上記の各下クランプ１３と協働して、載置台９上に置かれた光ファイバをクランプする。蓋部７の裏面の先端部（前端部）には、上記の磁石受け１４に吸着されるマグネット２２と操作レバー２３とがネジ止めされている。
【００２５】
屑回収ユニット４は、外ケース２４と、この外ケース２４に支軸部２５を介して開閉可能に連結された蓋部２６と、外ケース２４に収納され、光ファイバの切り屑を溜めるための内ケース２７と、外ケース２４に隣接して配置された伝達機構収納ケース２８とを有している。
【００２６】
外ケース２４の内部には下ローラ（図示せず）が設けられ、蓋部２６の裏面には上ローラ（図示せず）が設けられている。蓋部２６が外ケース２４に対して閉じられると、下ローラと上ローラとの間に光ファイバの切り屑が挟み込まれる。
【００２７】
伝達機構収納ケース２８の内部には、蓋部２６の閉じ動作を上記のスライダ１５のスライド動作に連動させるための伝達機構と、外ケース２４内の下ローラを上記のクランプ１３，２１の開放動作に連動して回転させるための伝達機構とが収納されている。
【００２８】
具体的には、スライダ１５を後側（支軸部６側）に移動させる前は、揺動レバー（図示せず）が外ケース２４の上端から突出するために、蓋部２６が当該揺動レバーに引っ掛かって完全には閉じられず、スライダ１５を後側に移動させると、揺動レバーが揺動して外ケース２４の上端よりも下方に沈み込むために、蓋部２６が完全に閉じられるようになる。また、カッタ本体５に対して蓋部７を開くことでクランプ１３，２１が開放されると、下ローラ（図示せず）が回転するようになる。
【００２９】
以上のような光ファイバカッタ２を用いて光ファイバの切断処理を行うときは、まず光ファイバをファイバホルダ（図示せず）に保持した後、カッタユニット３の蓋部７を開いた状態で、カッタ本体５の載置台９に設けられたホルダガイド１１にファイバホルダをセットする。
【００３０】
続いて、スライダ１５をカッタ本体５に対して最前側に位置させた状態で、蓋部７を閉じる。すると、光ファイバがクランプ１３，２１により挟み込まれる。また、蓋部７に取り付けられた係合片２０がスライダ１５の突部１８に当接し、枕部１９が圧縮バネ（図示せず）の付勢力に抗した状態で保持されるようになる。
【００３１】
また、屑回収ユニット４の蓋部２６の閉じ動作を行う。このとき、スライダ１５はカッタ本体５に対して最前側に位置しているため、上述したように蓋部２６が揺動レバー（図示せず）に引っ掛かって少し開いた状態となる。このため、光ファイバが切断される前に、光ファイバの先端部が上記の上下ローラ（図示せず）に挟まれることが無いため、光ファイバに加わる張力が不安定になってしまうことが防止される。
【００３２】
続いて、スライダ１５をカッタ本体５に対して後側（支軸部６側）にスライドさせる。すると、刃部１７が光ファイバに接触することで、光ファイバに傷が付けられる。
【００３３】
そして、スライダ１５を更に後側にスライドさせると、突部１８が係合片２０を通過するため、枕部１９が圧縮バネ（図示せず）の付勢力により下降して光ファイバに当たり、枕部１９により光ファイバに曲げが付与される。このとき、光ファイバの先端側及び根元側がクランプ１３，２１で保持されているため、光ファイバには張力が付与される。その結果、光ファイバに付けられた傷を起点として光ファイバが破断する。
【００３４】
そして、スライダ１５を更に後側にスライドさせると、上述したように揺動レバー（図示せず）が揺動するため、蓋部２６が完全に閉じられた状態となる。このとき、光ファイバの切り屑が上下ローラ（図示せず）間に挟み込まれる。
【００３５】
続いて、カッタユニット３の蓋部７を開く。すると、下ローラ（図示せず）が回転し、光ファイバの切り屑が落下して内ケース２７に収容されるようになる。
【００３６】
図１〜図５に戻り、上述した光ファイバカッタ２を収納するための光ファイバカッタ収納ケース１は、断面略矩形状のケース基体３０と、このケース基体３０とヒンジ３１を介して一体的に設けられ、ケース基体３０に対して開閉可能なケース蓋体３２とから構成されている。
【００３７】
ケース基体３０の内部の先端部（前端部）には、位置決め壁部３３が設けられている。ケース基体３０の内部底面の基端側（後端側）には、前後方向に延びる２本の位置決め突部３４が設けられている。ケース基体３０の内部の一側端部における位置決め突部３４と位置決め壁部３３との間の領域には、位置決め壁部３５Ａ，３５Ｂが設けられている。ケース基体３０の内部の他側端部には、３つの位置決め突部３６が位置決め壁部３５Ａ，３５Ｂと対向するように設けられている。また、ケース基体３０の内部底面には、位置決め壁部３５Ａ，３５Ｂと外側に位置する２つの位置決め突部３６とをそれぞれ繋ぐ連結突部３７が設けられている。
【００３８】
これらの位置決め壁部３３，３５Ａ，３５Ｂ及び位置決め突部３４，３６は、図７及び図８に示すように、光ファイバカッタ２におけるカッタユニット３のカッタ本体５を位置決めするカッタ位置決め部３８を形成している。カッタユニット３は、前端側（操作レバー２３側）が位置決め壁部３５Ａ，３５Ｂ側に位置するようにカッタ位置決め部３８に収容される。カッタ位置決め部３８は、カッタユニット３の後端側を位置決め壁部３５Ａ，３５Ｂ側に位置させた状態、即ちカッタユニット３を当初予定された方向以外で収容しようとした場合には、カッタユニット３が収容不能となるように構成されている。
【００３９】
カッタユニット３がカッタ位置決め部３８に収容された状態では、カッタユニット３がケース基体３０に対して前後左右方向に拘束されることとなる。このとき、カッタユニット３は、各連結突部３７の上に載置される。また、カッタユニット３に屑回収ユニット４が取り付けられている場合は、各位置決め突部３４の上に屑回収ユニット４が載置される。
【００４０】
位置決め壁部３５Ａ，３５Ｂには、ケース基体３０の内側に突出する爪状突起３９Ａ，３９Ｂがそれぞれ設けられている。爪状突起３９Ａ，３９Ｂの上部には、位置決め壁部３５Ａ，３５Ｂの上端から連続してケース基体３０の内側に向かって下がるように傾斜した傾斜部４０が形成されている。ケース基体３０の内部底面に対する傾斜部４０の角度は、例えば４５度程度である。このような傾斜部４０を爪状突起３９Ａ，３９Ｂに設けることにより、図７及び図８に示すようにカッタユニット３をカッタ位置決め部３８に収容する際には、カッタユニット３をケース基体３０の上側から爪状突起３９Ａ，３９Ｂの傾斜部４０に沿って滑らせながら降ろせば良い。
【００４１】
爪状突起３９Ａ，３９Ｂは、カッタ位置決め部３８に位置決めされたカッタ本体５の基台８をケース基体５の高さ方向に対して拘束するカッタ本体押さえ突起としての機能を有している。
【００４２】
また、位置決め突部３４側に位置する爪状突起３９Ａは、カッタ位置決め部３８に収容されたカッタユニット３のスライダ１５をスライド方向（カッタユニット３の前後方向）に対して拘束するスライダ押さえ突起としての機能も有している。具体的には、スライダ１５がカッタ本体５に対して前側に位置している状態で、カッタユニット３がケース基体３０のカッタ位置決め部３８に収容されると、爪状突起３９Ａがスライダ１５を位置決め突部３６に押し付けて拘束するようになる。
【００４３】
ケース基体３０の内部の基端部には、取扱説明書４１（図７及び図８参照）を収容する説明書収容部４２が設けられている。また、ケース基体３０の内部の基端側部分には、スペア用刃部が入ったスペア刃ケース４３（図７及び図８参照）を収容するスペア刃収容部４４が位置決め壁部３５Ａに隣接して設けられている。
【００４４】
ケース基体３０には、先端に向けて下がるように傾斜した傾斜部４５が設けられている。このため、ケース基体３０の先端面の高さ寸法がケース基体３０の基端面の高さ寸法よりも小さくなっている。これにより、ケース基体３０のカッタ位置決め部３８に収容されたカッタユニット３がケース基体３０から取り出しやすくなる。
【００４５】
ケース蓋体３２の裏面には、ケース基体３０のカッタ位置決め部３８に収容されたカッタユニット３の蓋部７を押さえる２本の蓋押さえ突部４６と、カッタユニット３に取り付けられた屑回収ユニット４の蓋部２６を押さえる蓋押さえ突部４７とが設けられている。これにより、屑回収ユニット４が取り付けられたカッタユニット３をケース基体３０のカッタ位置決め部３８に収容した状態で、ケース蓋体３２をケース基体３０に対して閉じたときに、光ファイバカッタ収納ケース１の内部でカッタユニット３の蓋部７及び屑回収ユニット４の蓋部２６が開くことが防止される。
【００４６】
ケース蓋体３２には、ケース基体３０の傾斜部４５に合わせて先端に向けて傾斜した傾斜部４８が設けられている。このため、ケース蓋体３２の先端面の高さ寸法がケース蓋体３２の基端面の高さ寸法よりも大きくなっている。なお、ケース蓋体３２の先端面は傾斜領域４９を有している（図１参照）。
【００４７】
ケース蓋体３２の先端面の中央部には、凹部５０が形成されている。凹部５０の底面には、図１に示すようにケース基体３０とケース蓋体３２とを閉じたときに、両者を係止状態にするためのフック部５１が設けられている。フック部５１の先端部には、引っ掛け爪５１ａが設けられている。ケース基体３０の先端面の中央部には、凹部５２が形成されている。凹部５２の底面には、引っ掛け爪５１ａと係合するフック受け段部５３が設けられている。
【００４８】
このようにケース蓋体３２の凹部５０にフック部５１を設け、ケース基体３０の凹部５２にフック受け段部５３を設けることにより、フック部５１がケース蓋体３２の先端面よりもケース蓋体３２の内側に位置することになる。このため、ケース基体３０とケース蓋体３２とが閉じられた状態において、手でフック部５１を掴みにくくなると共に、フック部５１が他の物体等に当たりにくくなる。これにより、フック部５１の破損や損傷を防止することができる。
【００４９】
以上のような光ファイバカッタ収納ケース１は、帯電防止材を含む樹脂で形成されている。具体的には、収納ケース１の材料は、例えばポリプロピレン（ＰＰ）に帯電防止材を加えたものである。帯電防止材を含む樹脂で収納ケース１を形成することにより、光ファイバカッタ２により光ファイバを切断したときに光ファイバの切り屑が発生しても、静電気による収納ケース１への切り屑の付着が起こりにくくなる。従って、収納ケース１の清掃が行いやすくなる。
【００５０】
ケース基体３０は、黒色に着色されていることが好ましい。これにより、ケース基体３０内に光ファイバを落としても、当該光ファイバを容易に見つけることができる。また、ケース蓋体３２は、透明または半透明であることが好ましい。これにより、ケース基体３０とケース蓋体３２とを閉じたときに、光ファイバカッタ収納ケース１の内部を確認することができる。なお、ケース蓋体３２も、ケース基体３０と同様に黒色に着色されていても良い。
【００５１】
以上のように本実施形態の光ファイバカッタ収納ケース１にあっては、カッタユニット３のカッタ本体５を位置決めするカッタ位置決め部３８をケース基体３０に設けたので、図７及び図８に示すように光ファイバカッタ２を収納したときに、カッタ本体５がケース基体３０に対して前後方向及び左右方向に拘束される。また、カッタ位置決め部３８の一部を形成する位置決め壁部３５Ａ，３５Ｂに爪状突起３９Ａ，３９Ｂをそれぞれ設けたので、カッタユニット３がカッタ位置決め部３８に収容されたときに、爪状突起３９Ａ，３９Ｂによってカッタ本体５がケース基体３０に対して高さ方向に拘束される。さらに、カッタユニット３がカッタ位置決め部３８に収容された状態では、爪状突起３９Ａによってカッタユニット３のスライダ１５がケース基体３０に対してスライド方向に拘束される。
【００５２】
また、ケース蓋体３２の裏面に蓋押さえ突部４６，４７を設けたので、屑回収ユニット４が取り付けられたカッタユニット３をケース基体３０のカッタ位置決め部３８に収容した状態で、ケース蓋体３２をケース基体３０に対して閉じたときに、カッタユニット３の蓋部７及び屑回収ユニット４の蓋部２６がケース蓋体３２により押さえられる。
【００５３】
以上により、例えば光ファイバカッタ２が収納された光ファイバカッタ収納ケース１を持ち運ぶ際に、収納ケース１の内部においてカッタユニット３のカッタ本体５、蓋部７及びスライダ１５、屑回収ユニット４の蓋部２６が動くことが防止されるため、カッタ本体５、蓋部７、スライダ１５及び蓋部２６が収納ケース１の内壁に当たって破損する等といった不具合を避けることができる。従って、光ファイバカッタ２を光ファイバカッタ収納ケース１により十分に保護することが可能となる。
【００５４】
また、カッタユニット３がケース基体３０のカッタ位置決め部３８に収容されると、爪状突起３９Ａがスライダ１５を位置決め突部３６側に押し込むようになるので、上述したように屑回収ユニット４の蓋部２６が外ケース２４に対して完全に閉じられた状態となる。従って、光ファイバカッタ２が光ファイバカッタ収納ケース１に収納された状態において、ケース基体３０とケース蓋体３２とを確実に閉じることができる。
【００５５】
なお、本発明は、上記実施形態に限定されるものではない。例えば上記実施形態の光ファイバカッタ収納ケース１は、カッタユニット３及び屑回収ユニット４からなる光ファイバカッタ２を収納するものであるが、本発明は、屑回収ユニットの無い光ファイバカッタを収納するものにも適用可能である。
【符号の説明】
【００５６】
１…光ファイバカッタ収納ケース、２…光ファイバカッタ、５…カッタ本体、７…蓋部、１５…スライダ、１７…刃部、３０…ケース基体、３２…ケース蓋体、３５Ａ，３５Ｂ…位置決め壁部、３８…カッタ位置決め部、３９Ａ…爪状突起（スライダ押さえ突起、カッタ本体押さえ突起）、３９Ｂ…爪状突起（カッタ本体押さえ突起）、４０…傾斜部、４６…蓋押さえ突部（蓋押さえ部）、５０…凹部、５１…フック部、５２…凹部、５３…フック受け段部（フック受け部）。
【図１】
0005341825.tif 000002
【図２】
0005341825.tif 000003
【図３】
0005341825.tif 000004
【図４】
0005341825.tif 000005
【図５】
0005341825.tif 000006
【図６】
0005341825.tif 000007
【図７】
0005341825.tif 000008
【図８】
0005341825.tif 000009